(57)【要約】      （修正有）【課題】灯籠の灯明時間を任意調整することに加え、予め設定した灯明終焉と同時に水上の灯籠全てが燃え尽きる、燈明台座の自動炎上方法を提供する。【解決手段】厚みと弾性を併有する四辺形厚紙を半円筒形に湾曲させて立体構造とし、さらに、湾曲する中心頂上部に×印切り目を入れて蝋燭立ち上げの貫通孔となし、湾曲成形により相対する二辺のみが灯籠底面に接する立体台座Ｄ灯籠底面とに確保する空間が、台座中央部を貫通して立ち上る蝋燭出寸法調節時の残寸許容の内懐となり、その範囲内で灯明時間を任意に設定可能とすることに加え、指定する終焉時における高熱条件下の状況として、燈心が接近するにつれて熔解蝋分が台座頂上部から八方へ流下浸透して自然発火を誘い、やがて、周囲灯籠壁への延焼によって灯籠全体が一気炎上するに至り、水に接する底紙一枚を残して全てが燃え尽きる紙灯籠に係る燈明台座の自動炎上方法。【選択図】図１
2018023695.tif 000002
【特許請求の範囲】
【請求項１】
一定の耐水性を有した折り紙灯籠の燈明台座であり、所定の弾性と耐水性を併有する四辺形の厚紙用紙を半円筒状に湾曲成型し、相対する二辺が灯籠底面と接して自立する湾曲構造の立体台座において、形成される曲面中央頂上部に×印切り込みを施して蝋燭の貫通保持孔としたことを特徴とする自動炎上する燈明台座の方法。
【請求項２】
前項記載の立体台座中央部から貫通する蝋燭の出寸法において、その露出程度によって一定範囲内の灯明時間調整が図られ、任意設定された灯明終焉時は熔解蝋成分が台座頂上部より八方へ流下浸透をなし、高熱条件下の台座が自然発火するに伴い灯籠四方壁全体へ延焼し、底紙一枚を残して水上の全てが炎上消滅することを特徴とする請求項１記載の自動炎上する燈明台座の方法。
【発明の詳細な説明】
【技術分野】
【０００１】  灯籠における灯明時間の任意調節及び終焉時に自動炎上する燈明台座に関する。
【背景技術】
【０００２】  本来は夏盆における宗教的な精霊行事として行なわれてきた灯籠流しであるが、近年では灯籠に個々の願いを託して流す素朴な季節催事として定着しつつあり、また、これら社会風潮に並行する新たな課題として催事後の残材回収が問われており、水質汚染阻止や季節情緒維持の双方に関して賛否両論が展開されている。【０００３】  尤も、従来からの精霊流しに使用される灯籠の構成素材においては、その全てが自然由来の物質で構成されて時間経過と共に自然回帰する還元性を有しており、環境負荷を考慮するまでもなく河川や海への流し放しが情景として黙認されてきた歴史的背景がある。【０００４】  対して、近年の灯籠素材にあっては化学物質が多用され、経年劣化の過程における自然還元性は不可能と判断されるに至り、残材起因の水質汚染を指摘されて一定規模の灯籠流し催事の際は事後回収の徹底を許可条件としている状況下にある、一方で、小規模及び個人の流し灯籠に関しては流し放しを慣習として放置することが多い。【０００５】  尚、上述の慣習として流し放しを黙認することは言うまでもなく、例え、下流域で残材回収の処置がとられた場合であっても、回収後のゴミ焼却処理に要する公共負担等の諸事情を勘案した場合、環境及び社会への負荷に対する総合評価においては双方同等といえる。
【発明の開示】
【発明が解決しようとする課題】
【０００６】  そこで、灯籠の灯明時間を任意調整することに加え、予め設定した灯明終焉と同時に水上の灯籠全てが燃え尽きる、燈明台座の自動炎上方法を提供する。
【課題を解決するための手段】
【０００７】  本件解説の便宜上、市販の障子紙（ロール状巻紙）による折り紙製作に係る概要を記す。
ロール状障子紙の幅（２５センチ）を一辺とする正方形用紙を所定の手順で折り紙作成をなし、必要箇所を澱粉接着で留めることにより底辺と四方壁が等しい約８センチ四方の箱状の折り紙灯籠が作成され、その折り紙灯籠に牛乳を塗布し乾燥させることで一定の耐水性が付加された紙灯籠（以下、灯籠という）が完成する。【０００８】  尚、灯籠における燈明台座としては、先ず、所定の耐水性と弾性を併有する厚紙を灯籠底部に適応する寸法の四辺形に裁断し、この四辺形用紙を半円筒状に成型し、さらに曲面中央頂上部に所定の×印切り目を施して蝋燭の立ち上がり貫通孔となし、湾曲成形によって相対する二辺が脚軸として灯籠底面に接する自立構造とし、灯籠底面と台座との間に所定の空間を確保する湾曲立体台座（以下、台座という）となす。【０００９】  上述する所定×印の切り目とは、台座中央頂上部を経て立ち上がる蝋燭の直径に対応しつつ、且つ、貫通蝋燭を支え得る保持力を発揮する加工寸法の範囲をいう。
また、台座内に生じる空間域は後述する蝋燭露出の残寸調整を許容し得る範囲の懐となることに加え、任意設定される台座の自動炎上に係る重要な条件形状ともなる。図１参照【００１０】  尚、灯明時間の任意設定と台座の自動炎上に係る状況として、蝋燭露出の寸法調節によって任意演出される灯明終焉間際の高温条件下にあっては、台座表面への燈心接近に伴って熔解する蝋成分が台座頂上部から八方へ流下浸透をなし、高熱化で極限状態となった台座の自然発火が灯籠壁全体への延焼を誘い、その間、湾曲台座の内懐にある残寸蝋燭は熔解垂下して灯籠底部全域に浸透拡散をなし、やがて気化進行により一気炎上となって水面に接する底紙一枚を除き水上の全てが燃え尽きることになる。図１参照【００１１】  これらは、灯籠を構成する素材全てが紙と牛乳蛋白質及び澱粉糊のみによる可燃物であることに加え、台座形状が立体構造のため底紙とに確保される内部空間が台座の自然発火を促す形状要素であると共に、その空間が高熱条件下の灯籠四方壁全体への一気延焼を助勢し、灯籠全体の同時炎上となって消滅に至るものである。図１参照
【発明の効果】
【００１２】  本発明によれば、燈明時間の任意調整と共に水上灯籠の全てを意図的に炎上消滅させることが可能であり、唯一燃え残る底紙素材においても障子紙素材と牛乳蛋白質のみのために水中沈下後は経年劣化による自然還元性を有するため、水質汚染に係る環境負荷への懸念が払拭されることに加え、事後の残材回収無用の流し灯籠となる。
尚、本件紙灯籠の完成サイズは一辺が約８センチ四方の折り紙による立方体であり、容易に折り畳み可能なことに加え、台紙と蝋燭共に全てが同寸法のコンパクト性を有し、管理及び携帯自在の利便性を発揮する。
【発明を実施するための最良の形態】
【００１３】  本発明の実証に際した灯籠現物は、構成素材を障子紙と厚紙と牛乳とし折り紙工作過程の接着を澱粉糊とする箱状の折り紙灯籠としたが、本燈明台座の特徴とする任意設定で自動炎上をなす技術効果を基軸とする以外にあって、灯籠素材が自然還元性付加を条件に構成されるものであれば、本件の要素として特に指定するものではない。【００１４】  尚、灯籠流し現場の実証諸状況としては、自然河川における・川幅約８０Ｍ・距離約１３００ｍの概して直線域で流速約３０分から４５分の条件下において、紙灯籠自体の耐水性に加えて蝋燭露出調節による灯明時間の設定変更に係る任意調整が約一年間を通して試行され、それら諸条件への対応全般において良好な結果が確認された。
【図面の簡単な説明】
【００１５】
【図１】紙灯籠の内部断面イメージ図
【符号の説明】
【００１６】  Ｂ  壁紙    Ｄ  台座    Ｅ  蝋燭    Ｆ  水面    Ｇ  底紙
【図１】
2018023695.tif 000003